(57)【要約】      （修正有）【課題】上に貼られるフローリング材の目隙を減少させることができる床暖房パネルを提供する。【解決手段】合板５の下面にヒータ線貼り付けアルミ箔層が積層され、更にその下に断熱材層が積層された床暖房パネルの合板５に、長辺Ｌと平行な２本の第１分断線１１、１１と、短辺Ｓと平行な少なくとも１本の第２分断線１２を設け、６枚の分割板５Ａ…に分割する。この上面にフローリング材の長手方向と、床暖房パネルの長手方向とを、平面視直交するように配設することにより、幅方向の目隙の発生を少なくすることができる。【選択図】図３
2010054102.tif 000002
【特許請求の範囲】
【請求項１】
フローリング材（２）が貼られる合板（５）を上面側に有する床暖房パネルヒータに於て、該合板（５）が複数枚に分断線 (11)(12) をもって分割されて構成されていることを特徴とする床暖房パネルヒータ。
【請求項２】
上記合板（５）は矩形板状であり、長辺（Ｌ）と平行な複数本の第１分断線（11）と、短辺（Ｓ）と平行な少なくとも１本の第２分断線（12）をもって、複数枚に分割されている請求項１記載の床暖房パネルヒータ。
【請求項３】
上記合板（５）は矩形板状であり、長辺（Ｌ）と平行な少なくとも１本の第１分断線（11）と、短辺（Ｓ）と平行な少なくとも１本の第２分断線（12）をもって、複数枚に分割されている請求項１記載の床暖房パネルヒータ。
【請求項４】
上記合板（５）は正方形板状であり、隣り合う２辺（Ｌ′）（Ｓ′）の内の、いずれか一方に平行、又は、両方に各々平行な分断線 (11)(12) をもって、複数枚に分割されている請求項１記載の床暖房パネルヒータ。
【請求項５】
上記合板（５）は矩形板状であり、長辺（Ｌ）・短辺（Ｓ）に対して傾斜状の分断線（13）をもって、複数枚に分割されている請求項１記載の床暖房パネルヒータ。
【発明の詳細な説明】
【技術分野】
【０００１】
本発明は、床暖房パネルヒータに関する。
【背景技術】
【０００２】
従来、下地が二重床や根太組工法の木質材料の場合と、下地がコンクリートの床の場合の２種類に分けた場合、後者の下地コンクリート上にフローリング材を貼る構成をコンクリート直貼フローリング（以下、単に「直貼フローリング」と言うことがある）と呼ばれる。
この直貼フローリングでは、下地コンクリートに釘でフローリング材又は床暖房パネルヒータを固定できないので、接着剤にて固定する必要がある。
【０００３】
従来のパネルヒータＰ′を示す図７の平面図、及び、下地コンクリート41に直貼りした床構造を示す図８に於て、パネルヒータＰ′は、合板42とヒータ線貼付アルミ箔層43と断熱材層44と小根太45と接続ボックス46等からパネル状に一体に形成される。（なお、図７に於て、点々を打って示した細い帯部47は釘打代を示す表示である。）そして、このパネルヒータＰ′の下面を接着剤にて下地コンクリート41に貼着固定する。
また、図８に示すように、フローリング材48の下面のクッション材（フローリング下地）49が、上記パネルヒータＰ′の合板42の上面に、接着剤にて貼られている。
ところで、従来のパネルヒータＰ′は、図７の具体例では、短辺50が例えば約 900mm，長辺51が例えば約1800mmの一枚の合板42を上層に有している構造である。
【０００４】
このような従来のパネルヒータＰ′を図８（Ａ）の床構造のように施工した場合、ヒータ線貼付アルミ箔層43のヒータ加熱によって合板42が高温下にさらされると、放湿により収縮を起こす。これに伴って、図８（Ｂ）のように、フローリング材48, 48が合板42, 42の収縮力に引きずられ、隣り合うフローリング48, 48相互間に隙間（目隙という場合もある）Ｇが発生する。なお、図８（Ｂ）に於て、Ｆ42は合板42の収縮に伴う収縮力を示すベクトルであり、また、矢印Ｆ2 ，Ｆ4 ，Ｆ5 は引張力の方向と大きさを示すベクトルである。
【０００５】
そこで、従来、フローリング材48, 48間の隙間（目隙）Ｇの発生を減少させるために、フローリング材48自体を小さな面積のピースに分割して、フローリング材48, 48の相互接合部位に温度で軟化する接着剤を塗布したり（例えば、特許文献１参照）、あるいは、フローリング材48の裏面に複数の溝を形成して、フローリング材48の膨張収縮を吸収する構造としたり（例えば、特許文献２参照）、あるいは、木質基材（合板）の上に合成樹脂注入処理単板を接着一体化した後、この合成樹脂注入処理単板の上面から、上記木質基材（合板）に達する複数の溝を設けることで、合成樹脂注入処理単板を分割して、木質基材（合板）の伸縮に伴うフローリング材の隙間発生を減少させるようにしていた（例えば、特許文献３参照）。
【０００６】
【特許文献１】特開２００６−０４６０２８号公報
【特許文献２】特許第３５３８４４８号公報
【特許文献３】特許第２８８６４１０号公報
【発明の開示】
【発明が解決しようとする課題】
【０００７】
しかしながら、特許文献１の従来技術では、フローリング材自体の意匠が損なわれ、かつ、強度不足等の問題も発生するという問題がある。
また、特許文献２に記載の従来技術では、フローリング材自体に面倒な多数の凹溝を加工せねばならず、強度も不足する等の問題もあった。
また、特許文献３に記載の従来技術では、木質基材（合板）の上に、さらに、合成樹脂注入処理した単板をわざわざ積層して接着するという構造の複雑なものであった。
【０００８】
そこで、本発明は、構造が簡素でありながら、かつ、製造も容易でありながら、フローリング材とフローリング材の間の隙間（目隙）を減少させて、美観を損なうことを防止することができる床暖房パネルヒータを提供することを目的とする。さらに、目隙を減少させて、塵やほこりが溜まらずに衛生上も好ましい床暖房パネルヒータとすることを他の目的とする。
【課題を解決するための手段】
【０００９】
そこで、本発明は、フローリング材が貼られる合板を上面側に有する床暖房パネルヒータに於て、該合板が複数枚に分断線をもって分割されて構成されている。
また、上記合板は矩形板状であり、長辺と平行な複数本の第１分断線と、短辺と平行な少なくとも１本の第２分断線をもって、複数枚に分割されている。
あるいは、上記合板は矩形板状であり、長辺と平行な少なくとも１本の第１分断線と、短辺と平行な少なくとも１本の第２分断線をもって、複数枚に分割されている。
若しくは、上記合板は正方形板状であり、隣り合う２辺の内の、いずれか一方に平行、又は、両方に各々平行な分断線をもって、複数枚に分割されている。
また、上記合板は矩形板状であり、長辺・短辺に対して傾斜状の分断線をもって、複数枚に分割されている。
【発明の効果】
【００１０】
本発明は、次のような著大な効果を奏する。
合板が小さく分別されることにより、加熱時の放湿による収縮を発生した際、合板全体の端部に寸法変化が集まらず、寸法変化を各分割板に分散できる。これによって、パネルヒータの上面の合板に直貼りされたフローリング材の目隙を減少でき、フローリング材の目隙への塵やほこりの侵入を防いで衛生的に好ましく、かつ、美観上も好ましいものとなる。
【発明を実施するための最良の形態】
【００１１】
以下、図示の実施の形態に基づき本発明を詳説する。
図１に於て、直貼フローリング構造を例示する。下地コンクリート１の上面のセルフレベリング層１Ａ，レベル調整材１Ｂ等に接着剤にて、本発明に係る床暖房パネルヒータＰ…を貼り、その上に、フローリング材（床仕上材）２を接着剤にて貼った構造とする。
そして、図１と図２と図３に示すように、このパネルヒータＰは、最上面板として、合板５を有し、上記フローリング材２がこの合板５の上面に接着剤にて貼られる。
【００１２】
この合板５は矩形板状であり、長辺Ｌと平行な２本の第１分断線11，11と、短辺Ｓと平行な少なくとも１本の第２分断線12をもって、６枚の分割板５Ａ…に分割されている。
このように、合板５は、（縦横方向の）分断線11, 12に沿って分割され、隣り合う分割板５Ａ，５Ａは、図３（Ｂ）の拡大図のように、（溝ではなくて）完全に分断されている。
【００１３】
そして、短辺Ｓ，Ｓには小根太３が各々配設され、一方の短辺Ｓの小根太３の外方に接続ボックス４が連設一体化される。この接続ボックス４内には、アース線、リード線、センサ線等が収納されており、図外のリレーボックスや温度コントローラや分電盤等に配線接続される。
【００１４】
また、図３に於て、点々を付した帯部47は釘打代を表示しているが、第１分断線11は、この釘打代を示す帯部47の幅中央に沿って配線されている。
また、図２及び図５に示すように、合板５の下面にヒータ線貼付アルミ箔層６が積層され、かつ、その下に断熱材層７が積層された構造である。なお、図２に示すように、さらに不織布８を断熱材層７の下面に積層するのが好ましい。また、図２のように過昇温防止器９を合板５の下面に付設する。
【００１５】
ところで、図４及び図１に示すように、フローリング材２の長手方向Ａ2 と、パネルヒータＰの長手方向ＡP とを、平面視直交するように配設する。言い換えると、フローリング材２の長手方向Ａ2 と、パネルヒータＰの長辺Ｌが、平面的に見て直交するように配設する。
その理由は、フローリング材２に於て、幅方向には多数の合せ目が存在するが、長手方向Ａ2 には、ずっと少なく存在する。従って、幅方向には目隙が発生しにくく、仮に発生しても、各目隙が小さいが、長手方向Ａ2 には合せ目（継ぎ目）が少なく、従って、合板５の短縮変形が各合せ目（継ぎ目）に表され易く、目隙発生の虞が高い。このように目隙発生の虞の高いフローリング材長手方向Ａ2 に、多目の分断線11を有する短辺Ｓの方向を対応させるのが合理的である。
【００１６】
これについて、さらに詳しく説明すれば、図５（Ａ）はヒータ加熱前の状態であり、第１分断線11、及び、隣り合うパネルヒータＰ，Ｐの合せ目14は閉じている（間隙が存在しない）。その後、図５（Ｂ）のように、ヒータ加熱状態となって合板５が放湿して寸法が収縮すると、上記第１分断線11及び合せ目14に小間隙Ｃ11，Ｃ14が生ずる。しかし、この小間隙Ｃ11，Ｃ14は、図８（Ｂ）の従来例における間隙Ｃ0 に比べて、十分に小さくなる。その理由は、分断線11（又は分断線12）によって、分割されているので、合板５の収縮代及び収縮力Ｆ5 を、分散させ得るからである。
つまり、図８の従来例に於ける合板収縮力Ｆ42が極めて大きかったのに対し、本発明に係るパネルヒータＰでは、図５（Ｂ）に示す如く、合板収縮力Ｆ5 が小さい。故に、フローリング材２に作用する引張力Ｆは著しく減少し、隙間Ｇは僅少乃至零となる。
【００１７】
次に、図６に示す他の実施の形態では、合板５は矩形板状であって、長辺Ｌ・短辺Ｓに対して傾斜状の（斜め）分断線13をもって、複数枚の分割板５Ａ…に分割されている。傾斜角度は30°〜60°が好ましく、特に、40°〜50°が望ましい。
なお、図５に於て、フローリング材２の下面のクッション材２Ａが、直接に、パネルヒータＰの合板５に接着剤にて貼られている。
【００１８】
次に、図９（Ａ）に示す別の実施の形態では、合板５は正方形板状であり、隣り合う２辺Ｌ′，Ｓ′の内の一方の辺Ｌ′に平行に２本の分断線11, 11にて、複数枚に分割している。あるいは、この分断線11の本数は、増加し、又は、１本としても良い。
また、図９（Ｂ）に示す、さらに他の実施の形態では、正方形板状の合板５の２辺Ｌ′，Ｓ′の両方の各々に平行に、２本ずつの分断線11, 12に沿って、複数枚に分割している。この各分断線11, 12の本数も増減自由である。
【００１９】
次に、図10（Ａ）は、さらに別の実施の形態を示し、上記合板５は矩形板状であり、長辺Ｌと平行な１本の第１分断線11と、短辺Ｓと平行な１本の第２分断線12をもって、複数枚に分割されている。
なお、図10（Ｂ）に示す他の実施の形態のように、長辺Ｌに平行な１本の分断線11、又は、図10（Ｃ）に示した別の実施の形態のように、長辺に平行な複数本の分断線11のみをもって、分割するも、好ましい場合がある。
【００２０】
本発明は以上のように、フローリング材２が貼られる合板５を上面側に有する床暖房パネルヒータに於て、該合板５が複数枚に分断線11，12をもって分割されて構成されているので、フローリング材２を特別な構造に改造せずに、フローリング材２の目隙を従来よりも十分小さく抑えることが可能となり、美観を保ち、かつ、塵やほこりの目隙への侵入を防止して衛生面でも好ましい。
特に、合板５を複数枚に分割するのみで済み、製造も容易で安価である。しかも、合板５の（加熱に伴う）放湿による寸法変化（収縮）を、巧妙に分散させて、上方のフローリング材２への影響を最小にできる。
なお、図３や図６に於て、分割線11, 12, 13の本数の増減は自由であり、また、図３と図６とを、結合するも自由である。
【００２１】
また、本発明は、上記合板５は矩形板状であり、長辺Ｌと平行な複数本の第１分断線11と、短辺Ｓと平行な少なくとも１本の第２分断線12をもって、複数枚に分割されているので、図４に例示したように、長辺Ｌをフローリング材２の長手方向Ａ2 と直交状に配置して、巧妙に、目隙の発生を防止可能である。
また、上記合板５は矩形板状であり、長辺Ｌ・短辺Ｓに対して傾斜状の分断線13をもって、複数枚に分割されているので、フローリング材２の模様が斜め状のものや、その構造・形状が異なるある種のものに対して、有効である。
【図面の簡単な説明】
【００２２】
【図１】本発明の実施の一形態を示すと共に施工例を示す一部破断斜視図である。
【図２】本発明のパネルヒータの一例の断面図である。
【図３】平面図であり、（Ａ）は全体平面図、（Ｂ）は（Ａ）のｂ部を示す拡大平面図である。
【図４】フローリング施工方法を示す平面図である。
【図５】作用説明のための要部断面図である。
【図６】他の実施の形態を示す平面図である。
【図７】従来例を示す平面図である。
【図８】従来例の問題点を説明するための要部断面図である。
【図９】別の実施の形態を示す簡略平面図である。
【図１０】さらに他の実施の形態を示す簡略平面図である。
【符号の説明】
【００２３】
２  フローリング材
５  合板
11, 12, 13  分断線
Ｌ  長辺
Ｐ  パネルヒータ
Ｓ  短辺
Ｌ′，Ｓ′  辺
【図１】
2010054102.tif 000003
【図２】
2010054102.tif 000004
【図３】
2010054102.tif 000005
【図４】
2010054102.tif 000006
【図５】
2010054102.tif 000007
【図６】
2010054102.tif 000008
【図７】
2010054102.tif 000009
【図８】
2010054102.tif 000010
【図９】
2010054102.tif 000011
【図１０】
2010054102.tif 000012